(57)【特許請求の範囲】
【請求項１】
枚葉紙が厚み方向に重ねられ、
上記各枚葉紙が離脱可能となるように綴じ部が形成され、
初期状態において上記重ねられた枚葉紙に覆われて隠れており、上記枚葉紙を順次離脱させることにより順次露呈する、模様面が設けられ、
上記模様面は、凹凸のある立体模様が形成されたものである
ことを特徴とする冊子状構造体。
【請求項２】
上記模様面は、上記重ねられた枚葉紙の上記綴じ部側に設けられている
請求項１記載の冊子状構造体。
【請求項３】
上記枚葉紙には、
上記綴じ部を形成するための綴じ代部と、
上記綴じ代部を残して離脱される離脱部と、
上記綴じ代部と離脱部の間に、上記綴じ部側に立体模様を形成するための抜き加工部とが設けられている
請求項１または２記載の冊子状構造体。
【発明の詳細な説明】
【技術分野】
【０００１】
本発明は、装飾効果や情報提示効果を持たせた冊子状構造体に関する。
【背景技術】
【０００２】
従来から、冊子状に綴じた紙束に、装飾効果をもたせることが行われている。たとえば、ブロック状に綴じたメモ帳に各種の装飾を施したものが考案されている。このような技術に類する先行技術文献として出願人は、下記の特許文献１〜３を把握している。
【０００３】
特許文献１は、ブロック状のメモ帳の側面に図柄等を印刷したものである。
特許文献１には、つぎの記載がある。
［実用新案登録請求の範囲］
（１）側面が平坦印刷面となるようにメモ用紙を柱状に重ね合わせかつ一側面を離脱可能に互いに合着するとともに一側面に広告、図柄等を印刷してなることを特徴とするメモ帳。
【０００４】
特許文献２は、ブロック状のメモ帳の側面に立体状の装飾パターンを形成したものである。
特許文献２には、つぎの記載がある。
［０００７］
［課題を解決するための手段］
本発明は紙面の中央域から外周域にかけて装飾パターンを印刷した多数の用紙を重合し、重合した用紙を紙面と垂直ないずれかの用紙縁端で糊付け材料を用いて剥離可能に束ねた装飾物品であって、装飾物品の各非糊付け外周縁が紙面方向および用紙束厚さ方向に装飾パターンに倣う凹凸を有し、用紙を順次めくりまたは取り除いても、残余の用紙の表面から非糊付け外周縁にかけて立体状装飾パターンが浮出るようにしたものである。
【０００５】
特許文献３は、ブロック状のメモ帳に切離し用のミシン目を入れたものである。
特許文献３には、つぎの記載がある。
［実用新案登録請求の範囲］
多数の頁を有し、立方体若しくは直方体に形成されたメモ帳であつて、一つの隅部に全頁にわたつて連通する小孔を設けて鉛筆等の筆記具立てとなし、かつ各頁の小孔の周辺には各頁の切離し用のミシン目を穿設してなる立体メモ帳。
【先行技術文献】
【特許文献】
【０００６】
【特許文献１】実開昭５４−１４０８３７号公報
【特許文献２】特開２００４−１７３０９号公報
【特許文献３】実公昭５３−３４９８７号公報
【発明の開示】
【発明が解決しようとする課題】
【０００７】
しかしながら上記各従来技術は、つぎに述べる課題があった。
【０００８】
上記特許文献１は、ブロック状のメモ帳の側面に装飾パターンを印刷したに過ぎない。メモ用紙を離脱させていくと装飾パターンは徐々に消失し、それに応じて装飾性は減じていく。メモ用紙を半分も使うと、もはや装飾物としての存在感はなくなる。
上記特許文献２は、ブロック状のメモ帳の側面に立体的な装飾パターンを施したものである。メモ用紙を離脱させていくと装飾パターンは徐々に消失し、それに応じて装飾性は減じていく。メモ用紙を半分も使うと、もはや装飾物としての存在感はなくなる。
【０００９】
上記特許文献１も特許文献２も、新しいうちは装飾品として機能するものの、使っていくうちに装飾効果はなくなり、最後まで使い切らないうちに捨てられているのが実情である。ひらたく言えば、最初は物珍しさがあるけれど、すぐに飽きられて捨てられる程度のものである。つまり装飾の演出という面において芸がない。紙資源も大いに無駄にしている。
【００１０】
上記特許文献３は、ブロック状のメモ帳を鉛筆立てとして機能させ、各頁の切離しを容易にしたものであって、装飾や演出の機能はない。
【００１１】
本発明は、上記課題を解決するため、つぎの目的をもってなされた。
冊子状に綴じた枚葉紙によって模様面を隠しておき、装飾や情報の出現に演出効果をもたせた冊子状構造体を提供する。
【課題を解決するための手段】
【００１２】
上記の目的を達成するため、請求項１の冊子状構造体は、つぎの構成を採用した。
枚葉紙が厚み方向に重ねられ、
上記各枚葉紙が離脱可能となるように綴じ部が形成され、
初期状態において上記重ねられた枚葉紙に覆われて隠れており、上記枚葉紙を順次離脱させることにより順次露呈する、模様面が設けられ、
上記模様面は、凹凸のある立体模様が形成されたものである。
【００１４】
請求項２の冊子状構造体は、請求項１記載の構成に加え、つぎの構成を採用した。
上記模様面は、上記重ねられた枚葉紙の上記綴じ部側に設けられている。
【００１５】
請求項３の冊子状構造体は、請求項１または２記載の構成に加え、つぎの構成を採用した。
上記枚葉紙には、
上記綴じ部を形成するための綴じ代部と、
上記綴じ代部を残して離脱される離脱部と、
上記綴じ代部と離脱部の間に、上記綴じ部側に立体模様を形成するための抜き加工部とが設けられている。
【発明の効果】
【００１６】
請求項１の冊子状構造体は、枚葉紙が厚み方向に重ねられ、上記各枚葉紙が離脱可能となるように綴じ部が形成され、さらに模様面が設けられている。上記模様面は、初期状態において上記重ねられた枚葉紙に覆われて隠れており、上記枚葉紙を順次離脱させることにより順次露呈する。
上記模様面に施された装飾や情報は、初期状態では隠れていて見えない。つまり、最初は単に枚葉紙を綴じた冊子だと認識される。そして、離脱可能に綴じられた枚葉紙を順次離脱させていくと、隠れていた模様面が徐々に現れ、装飾や情報が出現する。このような構成により、冊子状に綴じた枚葉紙によって模様面を隠しておき、装飾や情報の出現に演出効果をもたせることができる。
【００１７】
また、請求項１の冊子状構造体は、上記模様面は、凹凸のある立体模様が形成されたものである。
枚葉紙を順次離脱させていくことにより、隠れていた立体模様が徐々に現れる。たとえば、枚葉紙を分厚く重ねてブロック状にした冊子では、初期状態で単なる直方体や立方体だったものが、枚葉紙を順次離脱させると立体模様が現れ、極めて演出効果が高い。
【００１８】
請求項２の冊子状構造体は、上記模様面は、上記重ねられた枚葉紙の上記綴じ部側に設けられている。
枚葉紙を順次離脱させていくことにより、綴じ部側に徐々に模様が現れる。したがって、枚葉紙を離脱させた残骸として綴じ部が残ったとしても、そこに模様が現れ、装飾効果があって見苦しくない。
【００１９】
請求項３の冊子状構造体は、上記枚葉紙には、上記綴じ部を形成するための綴じ代部と、上記綴じ代部を残して離脱される離脱部とが設けられている。さらに上記枚葉紙には、上記綴じ代部と離脱部の間に、上記綴じ部側に立体模様を形成するための抜き加工部が設けられている。
離脱部を離脱させると、綴じ代部が重なった状態で綴じ部が残る。この綴じ部は、厚み方向に重なる各綴じ代部において、抜き加工部の形状や寸法が少しずつ変化することにより立体模様が形成されたものとなる。このような多層状の立体模様が徐々に現れ、極めて演出効果が高い。
【図面の簡単な説明】
【００２０】
【図１】本発明の第１実施形態における冊子状構造体を示す斜視図である。
【図２】上記第１実施形態に用いる枚葉紙の一例を示す図である。
【図３】上記第１実施形態に用いる枚葉紙の積層構造を説明する図である。
【図４】上記第１実施形態の初期状態を示す図である。
【図５】上記第１実施形態の使用途中の状態を説明する図である。
【図６】上記第１実施形態の使用後の状態を説明する図である。
【図７】第２実施形態の冊子状構造体を示す図である。
【図８】第３実施形態の冊子状構造体を示す図である。
【発明を実施するための形態】
【００２１】
以下、本発明の冊子状構造体の実施の形態について詳細に説明する。
【００２２】
〔第１実施形態〕
図１は第１実施形態を示す斜視図である。
この冊子状構造体は、枚葉紙１が厚み方向に重ねられて紙束３が形成されている。この紙束３には、上記各枚葉紙１が離脱可能となるように綴じ部２が形成されている。
【００２３】
この例では、上記枚葉紙１は、おなじ大きさの長方形に裁断されている。この枚葉紙１が厚み方向に重ねられ、ブロック状の紙束３が形成されている。上記紙束３の一辺側に、綴じ部２が形成されている。
【００２４】
上記紙束３は、基台プレート４の上に載置され固定されている。上記基台プレート４は、上記枚葉紙１と平面視でほぼ同じ大きさ形状に形成されている。上記綴じ部２の上には、幅方向に延びる帯状の補強プレート５が取り付けられている。上記綴じ部２では、紙束３の積層方向に貫通する綴じ孔（図示していない）が穿設され、ステッチなどで綴じることができる。綴じ孔を設けずに糊などで綴じてもよい。
【００２５】
上記重ねられた枚葉紙１の上記綴じ部２側には、模様面６が設けられている。上記模様面６は、初期状態において上記重ねられた枚葉紙１に覆われて隠れており、上記枚葉紙１を順次離脱させることにより順次露呈する。上記枚葉紙１は、上記模様面６を境にして離脱可能に形成されている。
【００２６】
この例では、上記模様面６は、凹凸のある立体模様が形成されたものである。図示した例では、上記模様面６に立体模様として、比較的背の高い直方体状を呈する第１突部７Ａと、比較的背の低い直方体状を呈する第２突部７Ｂが形成されている。
【００２７】
〔枚葉紙〕
図２は、上述した冊子状構造体に用いる枚葉紙１の一例である。
この例では、パターン（Ａ）（Ｂ）（Ｃ）の３種類の枚葉紙１を積層して紙束３とし、綴じ部２を形成する。
【００２８】
上記枚葉紙１には、綴じ代部８と離脱部９と抜き加工部１０が設けられている。
【００２９】
上記綴じ代部８は、上記綴じ部２を形成するための部分である。この例では、長方形の枚葉紙１の一辺に沿った帯状の領域が綴じ代部８である。枚葉紙１を積層した紙束３では、この綴じ代部８を利用してステッチや糊などで各枚葉紙１を綴じることが行われる。
【００３０】
上記離脱部９は、上記綴じ代部８を残して離脱される部分である。この冊子上構造体がたとえばメモ帳であれば、メモ書きをした離脱部９を離脱させることができる。この冊子上構造体がたとえばカレンダーであれば、過ぎた日程の離脱部９を離脱させることができる。
【００３１】
上記抜き加工部１０は、上記綴じ代部８と離脱部９の間に形成されたスリット状の貫通部である。綴じ代部８と離脱部９のあいだには、上記抜き加工部１０によって貫通しない部分、つまり綴じ代部８と離脱部９が連結した連結部１１が設けられている。この例では上記連結部１１は、綴じ代部８の両サイド寄りの部分に一箇所ずつ、合計２箇所設けられている。上記離脱部９を離脱させるときは、上記連結部１１を破断することにより、綴じ代部８を残して離脱部９を離脱させることができる。
【００３２】
上記枚葉紙１を積層した紙束３の状態で離脱部９を離脱させると、綴じ代部８が積層された状態で残る。このときもともと離脱部９があったところに現れる面が模様面６である。つまり上記模様面６は、抜き加工部１０によって形成された綴じ代部８の端縁が積み重なることにより形成される面である。したがって、抜き加工部１０をさまざまな屈曲形状に貫くことにより、上記模様面６には凹凸のある立体模様が形成されることになる。
【００３３】
上記抜き加工部１０により、上記綴じ部２側に立体模様が形成される。パターン（Ｂ）の枚葉紙１では、上記２つの連結部１１に挟まれた部分において、図示の右よりの部分に、抜き加工部１０の第１屈曲部１２Ａが設けられている。パターン（Ｃ）の枚葉紙１では、上記２つの連結部１１に挟まれた部分において、図示の右よりの部分に、抜き加工部１０の第１屈曲部１２Ａが設けられ、図示の左よりの部分に、抜き加工部１０の第２屈曲部１２Ｂが設けられている。パターン（Ａ）の枚葉紙１では、抜き加工部１０に屈曲部は設けられていない。
【００３４】
図３は、上記パターン（Ａ）（Ｂ）（Ｃ）の枚葉紙１の積層構造を説明する図である。
【００３５】
この例では基台プレート４側から、パターン（Ｃ）の枚葉紙１が積層され、ついでパターン（Ｂ）の枚葉紙１が積層され、さらにパターン（Ａ）の枚葉紙１が積層されている。
【００３６】
パターン（Ａ）の枚葉紙１が積層された部分では、上記模様面６に立体模様は形成されない。パターン（Ｂ）の枚葉紙１が積層された部分では、上記模様面６に、第１突部７Ａの上部が形成される。パターン（Ｃ）の枚葉紙１が積層された部分では、上記模様面６に、第１突部７Ａの下部と、第２突部７Ｂが形成される。このように、第１突部７Ａと第２突部７Ｂを有する立体模様が形成される。
【００３７】
〔使用状態〕
図４、図５、図６は、上記第１実施形態の使用状態を説明する図である。
【００３８】
図４は、上記冊子状構造物の初期状態を示す。
この状態では、基台プレート４の上に紙束３が載置されている。上記紙束３は、多数の枚葉紙１が積層され、一辺に沿った部分に帯状の綴じ部２が設けられている。上記綴じ部２の上には補強プレート５が取り付けられている。上記各枚葉紙１のうち綴じ部２以外の部分が離脱部９である。この状態で冊子状構造物は、全体として略直方体のブロック状を呈している。
【００３９】
図５は、上記冊子状構造物の使用途中の状態を示す。
上述した初期状態から、枚葉紙１の離脱部９を順次離脱させる。離脱部９を離脱させるときは、上記綴じ代部８と離脱部９の間に設けられた２箇所の連結部１１を破断する。そうすると綴じ代部８が残る。離脱部９を順次離脱させると、綴じ代部８が積層された状態で残る。もともと離脱部９があったところに、綴じ代部８が積層された模様面６が現れる。
【００４０】
図示した例は、積層された枚葉紙１のうち６割程度の離脱部９を離脱させた状態である。上記模様面６には凹凸状の立体模様として、第１屈曲部１２Ａが積層されてできる第１突部７Ａと、第２屈曲部１２Ｂが積層されてできる第２突部７Ｂが現れている。
【００４１】
図６は、上記冊子状構造物の使用後の状態を示す。
すべての枚葉紙１の離脱部９が離脱されている。上記模様面６には凹凸状の立体模様として、第１屈曲部１２Ａが積層されてできた第１突部７Ａと、第２屈曲部１２Ｂが積層されてできた第２突部７Ｂが形成されている。
【００４２】
〔第１実施形態の効果〕
本実施形態は、枚葉紙１が厚み方向に重ねられ、上記各枚葉紙１が離脱可能となるように綴じ部２が形成され、さらに模様面６が設けられている。上記模様面６は、初期状態において上記重ねられた枚葉紙１に覆われて隠れており、上記枚葉紙１を順次離脱させることにより順次露呈する。
上記模様面６に施された装飾や情報は、初期状態では隠れていて見えない。つまり、最初は単に枚葉紙１を綴じた冊子だと認識される。そして、離脱可能に綴じられた枚葉紙１を順次離脱させていくと、隠れていた模様面６が徐々に現れ、装飾や情報が出現する。このような構成により、冊子状に綴じた枚葉紙１によって模様面６を隠しておき、装飾や情報の出現に演出効果をもたせることができる。
【００４３】
本実施形態は、上記模様面６は、凹凸のある立体模様が形成されたものである。
枚葉紙１を順次離脱させていくことにより、隠れていた立体模様が徐々に現れる。たとえば、枚葉紙１を分厚く重ねてブロック状にした冊子では、初期状態で単なる直方体や立方体だったものが、枚葉紙１を順次離脱させると立体模様が現れ、極めて演出効果が高い。
【００４４】
本実施形態は、上記模様面６は、上記重ねられた枚葉紙１の上記綴じ部２側に設けられている。
枚葉紙１を順次離脱させていくことにより、綴じ部２側に徐々に模様が現れる。したがって、枚葉紙１を離脱させた残骸として綴じ部２が残ったとしても、そこに模様が現れ、装飾効果があって見苦しくない。
【００４５】
本実施形態は、上記枚葉紙１には、上記綴じ部２を形成するための綴じ代部８と、上記綴じ代部８を残して離脱される離脱部９とが設けられている。さらに上記枚葉紙１には、上記綴じ代部８と離脱部９の間に、上記綴じ部２側に立体模様を形成するための抜き加工部１０が設けられている。
離脱部９を離脱させると、綴じ代部９が重なった状態で綴じ部２が残る。この綴じ部２は、厚み方向に重なる各綴じ代部８において、抜き加工部１０の形状や寸法が少しずつ変化することにより立体模様が形成されたものとなる。このような多層状の立体模様が徐々に現れ、極めて演出効果が高い。
【００４６】
〔第２実施形態〕
図７は、第２実施形態を示す。
この例は、凹凸のある立体模様が形成された模様面６を有する背側部材１３をプラスチック成形で形成している。枚葉紙１は、ブロック状に積層されて紙束３を形成している。上記紙束３の模様面６に対面する部分は、立体模様の凹凸に沿う凹凸が形成されている。つまり、模様面６の凹凸と紙束３の凹凸は、型と成形品のような反転状の関係に形づくられている。
【００４７】
模様面６の凹凸と紙束３の凹凸を対面させて合わせた状態で、左右の２箇所が綴じ糊１４で接着されている。上記綴じ糊１４は、左右の２箇所で枚葉紙１の積層方向の全部にわたって塗布されている。これにより、紙束３を構成する各枚葉紙１が綴じられている。つまりこの例では綴じ糊１４が綴じ部２を構成している。この例では枚葉紙１の全体が離脱部９である。離脱部９を離脱させていくと、背側部材１３に形成された模様面６が現れる。
【００４８】
それ以外は、上記第１実施形態と同様であり、同様の作用効果を奏する。
【００４９】
なお、この例において、背側部材１３は、プラスチック成形に限らず、木材の削り出しや紙箱から形成してもよい。模様面６は、凹凸のある立体模様に限らず、平面に印刷などで模様を施したものでもよい。
【００５０】
〔第３実施形態〕
図８は、第３実施形態を示す。
この例は、背側部材１３をプラスチック成形で形成している。模様面６は、凹凸のある立体模様ではなく、平面に印刷などで模様を施したものである。枚葉紙１は、ブロック状に積層されて紙束３を形成している。上記紙束３の模様面６側に位置する一辺に沿った部分に綴じ部２が形成されている。上記綴じ部２は、易剥離性の粘着剤で各枚葉紙１同士を粘着させることにより形成されている。この例では枚葉紙１の全体が離脱部９である。粘着部から枚葉紙１を剥離して離脱させる。離脱部９を離脱させていくと、背側部材１３に形成された模様面６が現れる。
【００５１】
それ以外は、上記第１実施形態と同様であり、同様の作用効果を奏する。
【００５２】
なお、この例において、背側部材１３は、プラスチック成形に限らず、木材の削り出しや紙箱から形成してもよい。模様面６は、平面に印刷などで模様を施したものに限らず、凹凸のある立体模様を施したものでもよい。この場合には、上記紙束３の模様面６に対面する部分は、立体模様の凹凸に沿う凹凸を形成する。つまり、模様面６の凹凸と紙束３の凹凸は、型と成形品のような反転状の関係に形づくる。
【００５３】
〔変形例〕
以上は本発明の特に好ましい実施形態について説明したが、本発明は図示の実施形態に限定する趣旨ではない。本発明は、各種の態様に変形して実施することができ、各種の変形例を包含する趣旨である。
【符号の説明】
【００５４】
１：枚葉紙
２：綴じ部
３：紙束
４：基台プレート
５：補強プレート
６：模様面
７Ａ：第１突部
７Ｂ：第２突部
８：綴じ代部
９：離脱部
１０：抜き加工部
１１：連結部
１２Ａ：第１屈曲部
１２Ｂ：第２屈曲部
１３：背側部材
１４：綴じ糊
【図１】
0006628631.tif 000002
【図２】
0006628631.tif 000003
【図３】
0006628631.tif 000004
【図４】
0006628631.tif 000005
【図５】
0006628631.tif 000006
【図６】
0006628631.tif 000007
【図７】
0006628631.tif 000008
【図８】
0006628631.tif 000009